(57)【要約】【課題】誘電体１８の中央の空きスペースに組み込んだ電子回路２２から外部への信号路の構成が簡単なアンテナ装置１２を提供する。【解決手段】導電体ベース１０の上に、中央に空きスペースを設けて誘電体１８を配設し、その上側に放射電極２０を配設する。空きスペースから誘電体１８の外側にまで至る誘電体基板１６を導電体ベース１０の上に配設する。誘電体基板１６の上面で空きスペースの部分に電子回路２２を搭載し、この電子回路２２をシールドする第１のシールドカバー２４を配設する。誘電体基板１６の下面で電子回路２２から誘電体１８の外側に至る部分に第１の導電パターン１６ｄを設け、その一端部と電子回路２２を電気的接続し、その他端部を誘電体１８の外側の部分で誘電体基板１６の上面に配設した同軸ケーブル２６の中心導体２６ａに電気的接続し、中心導体２６ａを電気的接続させた部分をシールドする第２のシールドカバー２８を配設する。【選択図】  図２
2010103696.tif 000002
【特許請求の範囲】
【請求項１】
導電体ベースの上に、中央に空きスペースを設けてこれを囲むように誘電体を配設し、前記空きスペースの上側を覆うように前記誘電体の上面で支持させて放射電極を配設し、前記空きスペースから前記誘電体の外側にまで至る誘電体基板を前記導電体ベースの上に配設し、前記誘電体基板の上面で前記空きスペースの部分に電子回路を搭載するとともに前記誘電体基板の上面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を第１のスルーホールを介して電気的接続し、前記誘電体の外側の部分で前記第１の導電パターンの他端部を前記誘電体基板の上面に配設された同軸ケーブルの中心導体に第２のスルーホールを介して電気的接続し、前記誘電体基板の上面に前記中心導体と前記第２のスルーホールを電気的接続させた部分をシールドする第２のシールドカバーを配設し、前記誘電体基板の下面の前記第１の導電パターンと前記第１と第２のスルーホールの前記下面の部分を前記導電体ベースと電気的に絶縁して構成したことを特徴とするアンテナ装置。
【請求項２】
導電体ベースの上に、中央に空きスペースを設けてこれを囲むように誘電体を配設し、前記空きスペースの上側を覆うように前記誘電体の上面で支持させて放射電極を配設し、前記空きスペースから前記誘電体の外側にまで至る誘電体基板を前記導電体ベースの上に間隔を設けて配設し、前記誘電体基板の上面全体にＧＮＤ電極を配設し、前記誘電体基板の下面で前記空きスペースの部分に電子回路を搭載するとともに前記誘電体基板の下面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を電気的接続し、前記誘電体の外側の部分で前記第１の導電パターンの他端部を前記誘電体基板の下面に配設された同軸ケーブルの中心導体に電気的接続し、前記誘電体基板の下面に前記第１の導電パターンと前記中心導体を電気的接続させた部分をシールドする第２のシールドカバーを配設し、前記誘電体基板の下面の前記第１の導電パターンを前記導電体ベースと電気的に絶縁して構成したことを特徴とするアンテナ装置。
【請求項３】
導電体ベースの上に、外形が偏平な直方体または円柱状で下面に凹部を穿設して中央に空きスペースを設けた誘電体を配設し、前記誘電体の上面で支持させて放射電極を配設し、前記空きスペースから前記誘電体の外側にまで至る誘電体基板を前記導電体ベースの上に配設し、前記誘電体基板の上面で前記空きスペースの部分に電子回路を搭載するとともに前記誘電体基板の上面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を第１のスルーホールを介して電気的接続し、前記誘電体の外側の部分で前記第１の導電パターンの他端部を前記誘電体基板の上面に配設された同軸ケーブルの中心導体に第２のスルーホールを介して電気的接続し、前記誘電体基板の上面に前記中心導体と前記第２のスルーホールを電気的接続させた部分をシールドする第２のシールドカバーを配設し、前記誘電体基板の下面の前記第１の導電パターンと前記第１と第２のスルーホールの前記下面の部分を前記導電体ベースと電気的に絶縁して構成したことを特徴とするアンテナ装置。
【請求項４】
導電体ベースの上に、外形が偏平な直方体または円柱状で下面に凹部を穿設して中央に空きスペースを設けた誘電体を配設し、前記誘電体の上面で支持させて放射電極を配設し、前記空きスペースから前記誘電体の外側にまで至る誘電体基板を前記導電体ベースの上に間隔を設けて配設し、前記誘電体基板の上面全体にＧＮＤ電極を配設し、前記誘電体基板の下面で前記空きスペースの部分に電子回路を搭載するとともに前記誘電体基板の下面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を電気的接続し、前記誘電体の外側の部分で前記第１の導電パターンの他端部を前記誘電体基板の下面に配設された同軸ケーブルの中心導体に電気的接続し、前記誘電体基板の下面に前記第１の導電パターンと前記中心導体を電気的接続させた部分をシールドする第２のシールドカバーを配設し、前記誘電体基板の下面の前記第１の導電パターンを前記導電体ベースと電気的に絶縁して構成したことを特徴とするアンテナ装置。
【請求項５】
請求項１または２記載のアンテナ装置において、前記誘電体が分割されていて、前記放射電極の周縁を部分的に支持するよう前記導電体ベースの上に配設し、分割配置された前記誘電体の間の隙間に、前記誘電体基板を通して、前記空きスペースから前記誘電体の外側に至る前記誘電体基板を前記導電体ベースの上に配設して構成したことを特徴とするアンテナ装置。
【請求項６】
請求項１または２記載のアンテナ装置において、前記誘電体が中央に空きスペースが設けられた外形が矩形または円形の環状であり、前記誘電体と前記導電体ベースの間の一部分に隙間を設け、前記隙間に前記誘電体基板を通して、前記空きスペースから前記誘電体の外側にまで至る前記誘電体基板を前記導電体ベースの上に配設して構成したことを特徴とするアンテナ装置。
【請求項７】
請求項１または３記載のアンテナ装置において、前記放射電極に電気的接続された給電端子を、前記誘電体基板の下面に設けた第２の導電パターンの一端部に電気的接続し、前記第２の導電パターンの他端部を第３のスルーホールを介して前記誘電体基板の上面に配設した前記電子回路に電気的接続し、前記誘電体基板の下面の前記第２の導電パターンと前記第３のスルーホールの前記下面の部分を前記導電体ベースと電気的に絶縁して構成したことを特徴とするアンテナ装置。
【請求項８】
請求項２または４記載のアンテナ装置において、前記放射電極に電気的接続された給電端子を、前記誘電体基板の下面に設けた第２の導電パターンの一端部に電気的接続し、前記第２の導電パターンの他端部を前記誘電体基板の下面に配設した前記電子回路に電気的接続し、前記誘電体基板の下面の前記第２の導電パターンを前記導電体ベースと電気的に絶縁して構成したことを特徴とするアンテナ装置。
【請求項９】
請求項１ないし４記載のいずれかのアンテナ装置において、前記第１の導電パターンが設けられた部分の前記誘電体基板の上面にＧＮＤ電極を配設して、前記第１の導電パターンがマイクロストリップラインとして作用するように構成したことを特徴とするアンテナ装置。
【請求項１０】
請求項１ないし４記載のいずれかのアンテナ装置において、前記誘電体基板に配設された前記ＧＮＤ電極と前記第１のシールドカバーと前記第２のシールドカバーと前記同軸ケーブルの外側導体および前記導電体ベースを電気的接続して、同電位となるように構成したことを特徴とするアンテナ装置。
【請求項１１】
請求項１ないし４記載のいずれかのアンテナ装置において、前記導電体ベースの上面に前記誘電体基板を前記導電体ベースから離して支持するための台座部を設けて構成したことを特徴とするアンテナ装置。
【請求項１２】
請求項１ないし４記載のいずれかのアンテナ装置において、前記導電体ベースを板金で形成し、誘電体基板用係止爪を切り起こし、前記導電体ベースに前記誘電体基板を配設した状態で前記誘電体基板用係止爪を前記誘電体基板の上面に位置するように折り曲げて、前記誘電体基板を前記導電体ベースに固定するように構成したことを特徴とするアンテナ装置。
【発明の詳細な説明】
【技術分野】
【０００１】
本発明は、電子回路を組み込んだ平面型のアンテナ装置に関するものである。
【背景技術】
【０００２】
平面型のアンテナ装置にあっては、誘電体基板の上面に誘電体を配設し、この誘電体の上面で支持するように放射電極が設けられ、誘電体基板の下面に電子回路が搭載され、この電子回路をシールドするようにシールドカバーが誘電体基板の下面に設けられていた。かかる構成のアンテナにあっては、誘電体と電子回路が誘電体基板の上面と下面にそれぞれ設けられるために、その上下方向の寸法が大きなものとなる。そこで、誘電体を環状に形成してその中央部に空きスペースを設け、この空きスペースに電子回路を組み込み、上下方向の寸法が従来より小さくなるようにした技術が、実開平５−７００１３号公報で提案されている。誘電体基板の上面に、誘電体を配設するとともに電子回路を搭載することができ、小型化に好適である。
【特許文献１】実開平５−７００１３号公報
【発明の開示】
【発明が解決しようとする課題】
【０００３】
上記の特許文献１で提案された技術にあっては、誘電体の中央部に設けられた空きスペースに組み込まれた電子回路から外部に信号を引き出すための信号路が、ケーブル状のもので構成されており、このケーブル状のものを絶縁状態で誘電体の外部まで引き出すために絶縁碍子が使用されている。かかる構造は、部品点数の多いものであった。
【０００４】
そこで、本発明は、上述のごとき事情に鑑みてなされたもので、誘電体の中央部に設けられた空きスペースに組み込まれた電子回路から外部に信号を引き出すための信号路を、電子回路が搭載された誘電体基板を用いて構成することで、部品点数の少ない構造としたアンテナ装置を提供することを目的とする。
【課題を解決するための手段】
【０００５】
かかる目的を達成するために、本発明のアンテナ装置は、導電体ベースの上に、中央に空きスペースを設けてこれを囲むように誘電体を配設し、前記空きスペースの上側を覆うように前記誘電体の上面で支持させて放射電極を配設し、前記空きスペースから前記誘電体の外側にまで至る誘電体基板を前記導電体ベースの上に配設し、前記誘電体基板の上面で前記空きスペースの部分に電子回路を搭載するとともに前記誘電体基板の上面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を第１のスルーホールを介して電気的接続し、前記誘電体の外側の部分で前記第１の導電パターンの他端部を前記誘電体基板の上面に配設された同軸ケーブルの中心導体に第２のスルーホールを介して電気的接続し、前記誘電体基板の上面に前記中心導体と前記第２のスルーホールを電気的接続させた部分をシールドする第２のシールドカバーを配設し、前記誘電体基板の下面の前記第１の導電パターンと前記第１と第２のスルーホールの前記下面の部分を前記導電体ベースと電気的に絶縁して構成されている。
【０００６】
また、導電体ベースの上に、中央に空きスペースを設けてこれを囲むように誘電体を配設し、前記空きスペースの上側を覆うように前記誘電体の上面で支持させて放射電極を配設し、前記空きスペースから前記誘電体の外側にまで至る誘電体基板を前記導電体ベースの上に間隔を設けて配設し、前記誘電体基板の上面全体にＧＮＤ電極を配設し、前記誘電体基板の下面で前記空きスペースの部分に電子回路を搭載するとともに前記誘電体基板の下面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を電気的接続し、前記誘電体の外側の部分で前記第１の導電パターンの他端部を前記誘電体基板の下面に配設された同軸ケーブルの中心導体に電気的接続し、前記誘電体基板の下面に前記第１の導電パターンと前記中心導体を電気的接続させた部分をシールドする第２のシールドカバーを配設し、前記誘電体基板の下面の前記第１の導電パターンを前記導電体ベースと電気的に絶縁して構成しても良い。
【０００７】
そして、導電体ベースの上に、外形が偏平な直方体または円柱状で下面に凹部を穿設して中央に空きスペースを設けた誘電体を配設し、前記誘電体の上面で支持させて放射電極を配設し、前記空きスペースから前記誘電体の外側にまで至る誘電体基板を前記導電体ベースの上に配設し、前記誘電体基板の上面で前記空きスペースの部分に電子回路を搭載するとともに前記誘電体基板の上面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を第１のスルーホールを介して電気的接続し、前記誘電体の外側の部分で前記第１の導電パターンの他端部を前記誘電体基板の上面に配設された同軸ケーブルの中心導体に第２のスルーホールを介して電気的接続し、前記誘電体基板の上面に前記中心導体と前記第２のスルーホールを電気的接続させた部分をシールドする第２のシールドカバーを配設し、前記誘電体基板の下面の前記第１の導電パターンと前記第１と第２のスルーホールの前記下面の部分を前記導電体ベースと電気的に絶縁して構成することもできる。
【０００８】
さらに、導電体ベースの上に、外形が偏平な直方体または円柱状で下面に凹部を穿設して中央に空きスペースを設けた誘電体を配設し、前記誘電体の上面で支持させて放射電極を配設し、前記空きスペースから前記誘電体の外側にまで至る誘電体基板を前記導電体ベースの上に間隔を設けて配設し、前記誘電体基板の上面全体にＧＮＤ電極を配設し、前記誘電体基板の下面で前記空きスペースの部分に電子回路を搭載するとともに前記誘電体基板の下面に前記電子回路をシールドする第１のシールドカバーを配設し、前記誘電体基板の下面で前記電子回路から前記誘電体の外側に至る部分に第１の導電パターンを設け、前記第１の導電パターンの一端部と前記電子回路を電気的接続し、前記誘電体の外側の部分で前記第１の導電パターンの他端部を前記誘電体基板の下面に配設された同軸ケーブルの中心導体に電気的接続し、前記誘電体基板の下面に前記第１の導電パターンと前記中心導体を電気的接続させた部分をシールドする第２のシールドカバーを配設し、前記誘電体基板の下面の前記第１の導電パターンを前記導電体ベースと電気的に絶縁して構成することも可能である。
【発明の効果】
【０００９】
請求項１および３記載のアンテナ装置にあっては、誘電体の中央に設けた空きスペースから誘電体の外側にまで至る誘電体基板を配設し、誘電体基板の上面で誘電体の中央の空きスペースの部分に電子回路を搭載し、誘電体基板の下面に設けた第１の導電パターンを介して誘電体の外側に信号路を引き出し、誘電体の外側で同軸線路の中心導体に電気的接続しているので、１枚の誘電体基板に電子回路と同軸線路の中心導体を配設でき、信号路の構造が簡単である。しかも、信号路としての第１の導電パターンの位置が安定していて、信号路の位置がずれることによるアンテナ特性への影響がない。
【００１０】
請求項２および４記載のアンテナ装置にあっては、誘電体の中央に設けた空きスペースから誘電体の外側にまで至るように配設した誘電体基板の下面で誘電体の中央の空きスペースの部分に電子回路を搭載し、誘電体基板の下面に設けた第１の導電パターンを介して誘電体の外側に信号路を引き出し、誘電体の外側で同軸線路の中心導体に電気的接続しているので、１枚の誘電体基板に電子回路と同軸線路の中心導体を配設するので、請求項１と同様に、信号路の構造が簡単であるとともにその位置が安定している。さらに、誘電体基板の下面に電子回路と第１の導電パターンをともに配設しているので、請求項１の構成のように上面と下面を電気的に接続するスルーホールを必要としない。また、誘電体基板の上面全体にＧＮＤ電極を設けたので、電子回路と放射電極とのアイソレーション特性が優れている。そしてまた、電子回路をシールドするシールドカバーが誘電体基板の下面に配設されるので、シールドカバーによるアンテナ特性への影響を少なくできる。
【発明を実施するための最良の形態】
【００１１】
以下、本発明の第１実施例を図１ないし図８を参照して説明する。図１は、本発明のアンテナ装置の第１実施例で、アンテナ装置からレドームを外した斜視図である。図２は、本発明のアンテナ装置の第１実施例の分解斜視図である。図３は、誘電体基板の上面からレジストを分離した斜視図である。図４は、誘電体基板の下面の斜視図である。図５は、誘電体基板の下面からレジストを分離した斜視図である。図６は、導電体ベースに誘電体基板を配設した状態の斜視図である。図７は、導電体ベースに設けた誘電体用係止爪を曲げて誘電体基板を固定することを説明する図である。図８は、図１のＡ−Ａ断面矢視図である。
【００１２】
図１に示すごとく、導電体ベース１０の上にアンテナ装置１２が組み立てられ、これを覆うように誘電材からなるレドーム１４が被せられる。そして、図２に示すごとく、アンテナ装置１２は、導電体ベース１０に誘電体基板１６と誘電体１８、１８…および放射電極２０が組み付けられて構成される。板金からなる導電体ベース１０には、誘電体１８、１８…を載せる基台部１０ａ、１０ａが一対の対向するコの字状に設けら、基台部１０ａ、１０ａの内側に誘電体基板１６を導電体ベース１０から離して少し上に支持するように台座部１０ｂ、１０ｂ…が設けら、これらの台座部１０ｂ、１０ｂ…上に誘電体基板１６が配設された状態で、誘電体基板の１６の周縁部に立設するように誘電体用係止爪１０ｃ、１０ｃ…が切り起こされている。誘電体基板１６は、導電体ベース１０の基台部１０ａ、１０ａ内に収容されて台座部１０ｂ、１０ｂ…に載せられて支持されるとともに、基台部１０ａ、１０ａ内から一対の対向するコの字状の基台部１０ａ、１０ａの隙間を経て外側にまで至る形状とされている。そして、誘電体基板１６の上面で基台部１０ａ，１０ａで囲まれるスペースの中央部に電子回路２２が搭載される。そしてこの電子回路２２をシールドするように、誘電体基板１６の上面に第１のシールドカバー２４が配設される。なお、第１のシールドカバー２４は、誘電体基板１６の上面に配設されたＧＮＤ電極１６ａに半田付けにより電気的接続ならびに固定されている。さらに、誘電体基板１６の導電体ベース１０の基台部１０ａ、１０ａより外側の部分で上面に、同軸線路２６の中心導体２６ａが電気的接続される中心導体接続ランド１６ｂが、上面に配設されたＧＮＤ電極１６ａと絶縁されて設けられる。そして、中心導体接続ランド１６ｂをシールドするように誘電体基板１６の上面に第２のシールドカバー２８が配設される。なお、この第２のシールドカバー２８も、第１のシールドカバー２４と同様に、誘電体基板１６の上面に配設されたＧＮＤ電極１６ａに半田付けにより電気的接続ならびに固定されている。そして、導電体ベース１０の基台部１０ａ、１０ａの上には、略Ｌ字状の４分割された誘電体１８、１８、１８、１８が中央に空きスペースを設けてこれを囲むように配設されて搭載される。さらに、これらの誘電体１８、１８…の上面で支持するように、放射電極２０が配設される。
【００１３】
誘電体基板１６の上面には、図３に示すように、電子回路２２と中心導体接続ランド１６ｂが配設され、これらと絶縁状態で上面の残された部分全体にＧＮＤ電極１６ａが配設される。しかも、ＧＮＤ電極１６ａの上には、レジスト１６ｃが適宜な形状で設けられ、第１のシールドカバー２４と第２のシールドカバー２８と同軸線路２６の外部導体２６ｂを半田付けする部分のＧＮＤ電極１６ａが露出するようになされ、また導電体ベース１０に立設された誘電体用係止爪１０ｃ、１０ｃ…に対応させて、半田付け部が露出するようになされている。また、誘電体基板１６の下面は、図４に示すように、電子回路２２が搭載された部分に対応する位置から導電体ベース１０の基台部１０ａ、１０ａの外側にまで至る第１の導電パターン１６ｄが設けられ、その一端部が第１のスルーホール１６ｅにより上面の電子回路２２と電気的接続される。そして、第１の導電パターン１６ｄの他端部が、第２のスルーホール１６ｆにより誘電体基板１６の上面で外側の部分に設けられた中心導体接続ランド１６ｂに電気的接続される。さらに、誘電体基板１６の下面には、放射電極２０の給電端子３０（図８を参照）が一端部に電気的接続される第２の導電パターン１６ｇが設けられ、第２の導電パターン１６ｇの他端部が、第３のスルーホール１６ｈを介して上面の電子回路２２に電気的接続される。そして、図５に示すように、第１の導電パターン１６ｄおよび第２の導電パターン１６ｇとは絶縁状態となるように、下面の残された部分全体にＧＮＤ電極１６ｉが配設される。しかも、ＧＮＤ電極１６ｉを覆うように、レジスト１６ｊが適宜な形状で設けられている。
【００１４】
誘電体基板１６に電子回路２２を搭載するとともに同軸線路２６の中心導体２６ａと外側導体２６ｂを半田付けし、さらに第１のシールドカバー２４および第２のシールドカバー２８が半田付けされて配設される。そして、図６のごとく、かかる誘電体基板１６が、導電体ベース１０の基台部１０ａ、１０ａ内に収容されて台座部１０ｂ、１０ｂ…により支持されるように配置される。そして、誘電体基板１６の周辺部に立設された誘電体基板用係止爪１０ｃ、１０ｃ…を、図７に示すように折り曲げて誘電体基板１６上に位置させる。そして、誘電体基板１６の上面で、折り曲げられた誘電体基板用係止爪１０ｃ、１０ｃ…に対応する部分は、レジスト１６ｃが設けられておらずにＧＮＤ電極１６ａが露出していて半田付け部が形成されており、半田付けにより確実に固定される。さらに、同軸線路２６が、導電体ベース１０に設けた把持部１０ｄにより把持されて、同軸線路２６が導電体ベース１０に強固に固定される。
【００１５】
導電体ベース１０の上に組み立てられたアンテナ装置１２は、図８に示すように、誘電体１８、１８…で、中央に空きスペースを設けてこれを囲むようになし、この空きスペースで誘電体基板１６に電子回路２２を搭載し、その誘電体基板１６に設けた第１の導電パターン１６ｄで誘電体１８、１８…の外側に信号を導出しているので、信号路の構成が簡単である。しかも、第１の導電パターン１６ｄはその位置が固定され、アンテナ特性に影響をあたえることがない。そして、誘電体基板１６の下面に設けた第１の導電パターン１０ｄは、誘電体基板１６の上面に設けたＧＮＤ電極１６ａにより、マイクロストリップアンテナとして作用する。さらに、第１の導電パターン１０ｄは、下側に絶縁状態で導電体ベース１０が配設され、上のＧＮＤ電極１６ａと下の導電体ベース１０の間に配設されることとなり、トリプレート構造が構成される。なお、誘電体基板１６は、導電体ベース１０の台座部１０ｂ、１０ｂ…の上に配設され、第１の導電パターン１６ｄと第２の導電パターン１６ｇおよび第１のスルーホール１６ｅと第２のスルーホール１６ｆおよび第３のスルーホール１６ｈの誘電体基板１６の下面の部分さらには給電端子３０と第２の導電パターン１６ｇが半田付けにより電気的接続される部分は、導電体ベース１０から絶縁された状態とされる。また、第１のシールドカバー２４と第２のシールドカバー２８および同軸線路２６の外側導体２６ｂは、誘電体基板１６の上面に設けたＧＮＤ電極１６ａに半田付けされ、しかもこのＧＮＤ電極１６ａに誘電体基板用係止爪１０ｃ、１０ｃ…が半田付けされるので、第１のシールドカバー２４と第２のシールドカバー２８と同軸線路２６の外側導体２６ｂと誘電体基板１６の上面に設けたＧＮＤ電極１６ａは、いずれも導電体ベース１０と電気的接続されて同電位となっている。なお、誘電体基板１６の上面のＧＮＤ電極１６ａと下面のＧＮＤ電極１６ｉは、適宜に電気的接続されることは勿論である。
【００１６】
次に、本発明の第２実施例を図９を参照して説明する。図９は、本発明のアンテナ装置の第２実施例の分解斜視図である。図９において、図１ないし図８と同じまたは均等な部材には同じ符号を付けて重複した説明を省略する。
【００１７】
図９に示す第２実施例において、第１実施例と相違するところは、誘電体３２の構造にある。この第２実施例にあっては、誘電体３２は矩形の環状に形成され、その中央に空きスペースが設けられている。なお、誘電体基板１６は、第１実施例と同様に、基台部１０ａ、１０ａ内から一対の対向するコの字状の基台部１０ａ、１０ａの隙間を経て外側にまで至る形状とされているが、これに限られず、導電体ベース１０に設けられる基台部も矩形の環状とし、誘電体３２の下辺の一部を凹状に切り欠いて、この基台部の間に隙間を設けて、その隙間を経て誘電体基板１６を外側にまで至るように構成しても良い。
【００１８】
また、本発明の第３実施例を図１０を参照して説明する。図１０は、本発明のアンテナ装置の第３実施例の分解斜視図である。図１０において、図１ないし図９と同じまたは均等な部材には同じ符号を付けて重複した説明を省略する。
【００１９】
図１０に示す第３実施例において、第１実施例および第２実施例と相違するところは、誘電体３４の構造にある。この第３実施例にあっては、誘電体３４は外形が偏平な矩形の直方体であり、その下面に凹部３４ａが穿設されて、中央に空きスペースが設けられている。中央の空きスペースの上方が、誘電体３４により覆われるので、誘電体３４の上面に配設された導電薄膜などで放射電極２０を構成することが可能である。
【００２０】
さらに、本発明の第４実施例を図１１ないし図１５を参照して説明する。図１１は、本発明のアンテナ装置の第４実施例の分解斜視図である。図１２は、誘電体基板の上面からレジストを分離した斜視図である。図１３は、誘電体基板の下面の斜視図である。図１４は、誘電体基板の下面からレジストを分離した斜視図である。図１５は、第４実施例のアンテナ装置の断面矢視図である。図１１ないし図１５において、図１ないし図１０と同じまたは均等な部材には同じ符号を付けて重複した説明を省略する。
【００２１】
図１１ないし図１５に示す第４実施例において、第１ないし第３実施例と相違するところは、誘電体基板３６の下面に電子回路２２が搭載されており、下面に設けられた第１の導電パターン３６ｄと第２の導電パターン３６ｇが配設されている。なお、第１のシールドカバー２４は、誘電体基板３６の下面の搭載された電子回路２２をシールドするように、誘電体基板３６の下面に配設される。また、同軸線路２６の中心導体２６ａも誘電体基板３６の下面に電気的接続され、第２のシールドカバー２８も誘電体基板３６の下面に配設される。
【００２２】
そこで、誘電体基板３６の上面には、図１２に示すように、全面にＧＮＤ電極１６ａが配設され、その上に誘電体基板用係止爪１０ｃ、１０ｃ…が半田付けし得るように半田付け部を露出させるようにレジスト３６ｃが配設される。また、誘電体基板３６の下面は、図１３に示すように、誘電体３２の中央の空きスペースに対応する部分に、電子回路２２が搭載され、この電子回路２２から第１の導電パターン３６ｄと第２の導電パターン３６ｇが引き出すように配設される。誘電体基板３６の上面と下面を電気的接続するためのスルーホールを必要としない。そして、誘電体基板３６の下面では、電子回路２２と第１の導電パターン３６ｄおよび第２の導電パターン３６ｇと絶縁状態で、その周囲にＧＮＤ電極３６ｉが配設され、その上に第１のシールドカバー２４と第２のシールドカバー２８および同軸線路２６の外部導体２６ｂを半田付けする部分をのぞいて、レジスト３６ｊが設けられている。
【００２３】
第４実施例にあっては、図５に示すように、誘電体基板３６の下面に全ての電子部品および回路が配設されるので、スルーホールを必要とせず、その構造が簡単である。また、誘電体基板３６の上面全体にＧＮＤ電極３６ａが配設されているので、誘電体基板３６の下面に設けられた電子回路２２と誘電体基板３６の上方にある放射電極２０との間のアイソレーションに優れている。そして、誘電体基板３６の下面に第１のシールドカバー２４が配設されるので、この第１のシールドカバー２４と放射電極２０との間の距離が大きくなり、それだけ第１のシールドカバー２４の形状によるアンテナ特性への影響を少ないものとすることができる。
【００２４】
誘電体の構造は、上記実施例のものに限られない。図１６に示すように、第１例は、一対の対向するコの字状の形状の誘電体３８、３８で構成されていても良い。また、図１７に示すごとく、第２例は、放射電極２０の四隅を支持するように４個の直方体の誘電体４０、４０、４０、４０で構成されていても良い。また、図１８に示すごとく、第３例は、外形が円形で偏平な環状のものが４分割された形状の誘電体４２、４２、４２、４２で構成されていても良い。また、図１９に示すごとく、第４例は、外形が円形で偏平な環状のものが２分割された形状の誘電体４４、４４で構成されていても良い。また、図２０に示すごとく、第５例は、外形が円形で偏平な環状の誘電体４６で構成されていても良い。また、図２１に示すごとく、第６例は、放射電極２０の四隅を支持するように４個の円柱状の誘電体４８、４８、４８、４８で構成されていても良い。さらに、図２２に示すように、第７例は、誘電体５０は、外形が偏平な円柱状であり、その下面に凹部５０ａが穿設されて、中央に空きスペースが設けられていても良い。
【００２５】
なお、上記第１実施例にあっては、導電体ベース１０に設けた基台部１０ａ、１０ａに誘電体１８、１８、１８、１８を配設しているが、かかる構成に限られず、基台部１０ａ、１０ａを設けることなく、導電体ベース１０の上に誘電体１８、１８、１８、１８を配設しても良い。かかる構成では、誘電体１８、１８、１８、１８の隙間に誘電体基板１６を通して、外側にまで至るようにしても良い。また、基台部１０ａ、１０ａを設けない構造において、第２実施例や第３実施例にあっては、誘電体３２、３４の下辺部分の一部に凹部を設けて、誘電体基板１６を通すようにすれば良い。また、上記第１実施例では、導電体ベース１０に台座部１０ｂ、１０ｂ…を設けて、誘電体基板１６を導電体ベース１０から離すようにして、誘電体基板１６の下面に設けた第１の導電パターン１６ｄと第２の導電パターン１６ｇ等を導電体ベース１０から絶縁するように構成しているが、これに限られず、導電体ベース１０と誘電体基板１６の間に絶縁シートまたは絶縁スペーサ等を介在させることで、絶縁しても良い。さらに、放射電極２０は、正方形や長方形の矩形に限られず、円形や楕円形であっても良い。
【図面の簡単な説明】
【００２６】
【図１】本発明のアンテナ装置の第１実施例で、アンテナ装置からレドームを外した斜視図である。
【図２】本発明のアンテナ装置の第１実施例の分解斜視図である。
【図３】第１実施例で、誘電体基板の上面からレジストを分離した斜視図である。
【図４】第１実施例で、誘電体基板の下面の斜視図である。
【図５】第１実施例で、誘電体基板の下面からレジストを分離した斜視図である。
【図６】第１実施例で、導電体ベースに誘電体基板を配設した状態の斜視図である。
【図７】第１実施例で、導電体ベースに設けた誘電体用係止爪を曲げて誘電体基板を固定することを説明する図である。
【図８】図１のＡ−Ａ断面矢視図である。
【図９】本発明のアンテナ装置の第２実施例の分解斜視図である。
【図１０】本発明のアンテナ装置の第３実施例の分解斜視図である。
【図１１】本発明のアンテナ装置の第４実施例の分解斜視図である。
【図１２】第４実施例で、誘電体基板の上面からレジストを分離した斜視図である。
【図１３】第４実施例で、誘電体基板の下面の斜視図である。
【図１４】第４実施例で、誘電体基板の下面からレジストを分離した斜視図である。
【図１５】第４実施例のアンテナ装置の断面矢視図である。
【図１６】上記実施例以外の第１例の誘電体の形状を示す斜視図である。
【図１７】上記実施例以外の第２例の誘電体の形状を示す斜視図である。
【図１８】上記実施例以外の第３例の誘電体の形状を示す斜視図である。
【図１９】上記実施例以外の第４例の誘電体の形状を示す斜視図である。
【図２０】上記実施例以外の第５例の誘電体の形状を示す斜視図である。
【図２１】上記実施例以外の第６例の誘電体の形状を示す斜視図である。
【図２２】上記実施例以外の第７例の誘電体の形状を示す斜視図である。
【符号の説明】
【００２７】
１０  導電体ベース
１０ａ  基台部
１０ｂ  台座部
１０ｃ  誘電体基板用係止爪
１０ｄ  把持部
１２  アンテナ装置
１４  レドーム
１６、３６  誘電体基板
１６ａ、１６ｉ、３６ａ、３６ｉ  ＧＮＤ電極
１６ｂ  中心導体接続ランド
１６ｃ、１６ｊ、３６ｃ、３６ｊ  レジスト
１６ｄ、３６ｄ  第１の導電パターン
１６ｅ  第１のスルーホール
１６ｆ  第２のスルーホール
１６ｇ、３６ｇ  第２の導電パターン
１６ｈ  第３のスルーホール
１８、３２、３４、３８、４０、４２、４４、４６、４８、５０  誘電体
２０  放射電極
２２  電子回路
２４  第１のシールドカバー
２６  同軸線路
２６ａ  中心導体
２６ｂ  外側導体
２８  第２のシールドカバー
３０  給電端子
３４ａ、５０ａ  凹部
【図１】
2010103696.tif 000003
【図２】
2010103696.tif 000004
【図３】
2010103696.tif 000005
【図４】
2010103696.tif 000006
【図５】
2010103696.tif 000007
【図６】
2010103696.tif 000008
【図７】
2010103696.tif 000009
【図８】
2010103696.tif 000010
【図９】
2010103696.tif 000011
【図１０】
2010103696.tif 000012
【図１１】
2010103696.tif 000013
【図１２】
2010103696.tif 000014
【図１３】
2010103696.tif 000015
【図１４】
2010103696.tif 000016
【図１５】
2010103696.tif 000017
【図１６】
2010103696.tif 000018
【図１７】
2010103696.tif 000019
【図１８】
2010103696.tif 000020
【図１９】
2010103696.tif 000021
【図２０】
2010103696.tif 000022
【図２１】
2010103696.tif 000023
【図２２】
2010103696.tif 000024